(57)【要約】【課題】複数の記録ヘッドの配設位置の調整を必要とせず、記録ヘッドの傾きを調整することが可能なインクジェット記録装置を提供する。【解決手段】搬送される記録媒体Ｐの記録面ＰＰにノズルからインク滴を吐出して記録を行うインクジェット記録装置１であって、前記ノズルを所定の長さに亘って複数配列形成して構成される記録幅を有する複数の記録ヘッドＨＤ１〜ＨＤ８を、記録媒体Ｐの搬送方向Ｘと前記記録幅の延長方向とを交差させて、記録媒体Ｐの搬送方向Ｘと交差する方向に並列配置した構成を有するヘッド群ＨＧを備え、記録ヘッドＨＤ１〜ＨＤ８は、前記複数のノズルのいずれか一つの中心を回転中心にして、記録媒体Ｐの搬送方向Ｘに対する傾きを調整可能に構成されていることを特徴とする。【選択図】  図１
2006051621.tif 000002
【特許請求の範囲】
【請求項１】
搬送される記録媒体の記録面にノズルからインク滴を吐出して記録を行うインクジェット記録装置であって、
前記ノズルを所定の長さに亘って複数配列形成して構成される記録幅を有する複数の記録ヘッドを、前記記録媒体の搬送方向と前記記録幅の延長方向とを交差させて、前記記録媒体の搬送方向と交差する方向に並列配置した構成を有するヘッド群を備え、
前記記録ヘッドは、前記複数のノズルのいずれか一つの中心を回転中心にして、前記記録媒体の搬送方向に対する傾きを調整可能に構成されていることを特徴とするインクジェット記録装置。
【請求項２】
搬送される記録媒体の記録面にノズルからインク滴を吐出して記録を行うインクジェット記録装置であって、
前記ノズルを所定の長さに亘って複数配列形成して構成される記録幅をケース体に備えた複数の記録ヘッドを、該記録ヘッドを支持するベース板に、前記記録媒体の搬送方向と前記記録幅の延長方向とを交差させて、前記記録媒体の搬送方向と交差する方向に並べて配設した構成を有するヘッド群を備え、
前記記録ヘッドは、前記複数のノズルのいずれか一つの中心が回転中心となるように前記ケース体に形成された第一の係合部が、前記ベース板に形成された第二の係合部に回動可能に係合され、当該ベース板に前記記録媒体の搬送方向に対する傾きを調整可能に支持されていることを特徴とするインクジェット記録装置。
【請求項３】
前記第一の係合部は、前記記録幅の一端部における最外側の前記ノズルの中心を回転中心として形成されていることを特徴とする請求項２に記載のインクジェット記録装置。
【請求項４】
前記第一の係合部は、前記ケース体に突出形成された軸で構成され、前記第二の係合部は、前記軸を回動可能に支持するように前記ベース板に形成された係合穴で構成されていることを特徴とする請求項２又は３に記載のインクジェット記録装置。
【発明の詳細な説明】
【技術分野】
【０００１】
本発明は、ノズルからインク滴を吐出して記録を行うインクジェット記録装置に関し、特に、複数の記録ヘッドを記録媒体の搬送方向とは交差する方向に並べて配設したインクジェット記録装置に関する。
【背景技術】
【０００２】
近年、ノズルからインク滴を吐出して記録媒体に記録を行うインクジェット記録装置における記録速度の高速化の要望から、多数のノズルが記録媒体の幅以上の長さに亘って配列された記録幅を有するライン型の記録ヘッド（以下、ラインヘッドという）を備えたインクジェット記録装置（以下、ライン型インクジェット記録装置という）が実用化されている。
【０００３】
このライン型インクジェット記録装置では、記録媒体は、記録される面がラインヘッドのノズルが形成された面に対向して連続的又は間欠的に搬送される。また、ラインヘッドは、搬送されてくる記録媒体の記録される面に向けて、配列された多数のノズルの中から記録すべき情報に基づいて選択的にインク滴を吐出する。つまり、ライン型インクジェット記録装置は、記録ヘッドの移動をともなわず、記録媒体を一方向に移動させるだけでその記録媒体に対する記録を完了するものである。本明細書においては、記録ヘッドの移動をともなわず、記録媒体の移動のみで記録を完了するインクジェット記録装置をライン型インクジェット記録装置と総称する。
【０００４】
このライン型インクジェット記録装置においては、従来、基準穴を中心に記録ヘッドの配設角度を調整し、記録ヘッド同士間の記録の境界部に発生する白筋や黒筋を解消する技術が知られている（例えば、特許文献１参照）。
【特許文献１】特開２００３−１４５７７７号公報（第４頁、図５、図１２及び図１３）
【発明の開示】
【発明が解決しようとする課題】
【０００５】
しかしながら、上記特許文献１の従来技術では、基準穴ＫＨは、図１０（ａ）に示すように、記録ヘッドＨＤの一端部のノズルＮＺｆから距離Ｌ１を隔てて形成されている。この距離Ｌ１は、ノズルＮＺｆ及びこのノズルＮＺｆに通ずる図示しないインク流路に基準穴ＫＨを干渉させないために必要となる。
ノズルＮＺｆの位置は、図１０（ｂ）に示すように、基準穴ＫＨを中心にして記録ヘッドＨＤの傾きをＲ１方向に調整すると、Ｙ方向に距離ΔＹのずれを有することとなる。従って、例えば、Ｙ方向に隣り合う記録ヘッドＨＤの一端部のノズルＮＺｆ同士間の距離が所定の距離Ｐｙとなるように、複数の記録ヘッドＨＤの配設位置が設定されている場合には、上記の距離ΔＹのずれによって、各記録ヘッドＨＤの配設位置がＹ方向にずれてしまう。
【０００６】
つまり、一つの記録ヘッドの傾きを調整すると、これに隣接する記録ヘッドの配設位置を、記録ヘッド同士のノズル間の距離がＹ方向に所定の距離となるように、調整する必要が生じ、順次すべての記録ヘッドのＹ方向における配設位置を調整しなければならないという未解決の課題がある。
本発明は、上記課題を解決するためになされたものであり、複数の記録ヘッドの配設位置の調整を必要とせず、記録ヘッドの傾きを調整することが可能なインクジェット記録装置を提供することを目的とする。
【課題を解決するための手段】
【０００７】
上記課題を解決するために、本発明に係る第１の発明は、搬送される記録媒体の記録面にノズルからインク滴を吐出して記録を行うインクジェット記録装置であって、前記ノズルを所定の長さに亘って複数配列形成して構成される記録幅を有する複数の記録ヘッドを、前記記録媒体の搬送方向と前記記録幅の延長方向とを交差させて、前記記録媒体の搬送方向と交差する方向に並列配置した構成を有するヘッド群を備え、前記記録ヘッドは、前記複数のノズルのいずれか一つの中心を回転中心にして、前記記録媒体の搬送方向に対する傾きを調整可能に構成されていることを特徴とするインクジェット記録装置を提供する。
【０００８】
上記の構成によれば、記録媒体の搬送方向に対する記録ヘッドの傾きは、この記録ヘッドの記録幅を構成する複数のノズルの一つの中心を回転中心として、調整される。つまり、記録媒体の搬送方向に対する記録ヘッドの傾きを調整しても、回転の中心に位置するノズルは、位置ずれをともなわない。
上記により、記録媒体の搬送方向に対する記録ヘッドの傾きを調整しても、記録媒体の搬送方向と交差する方向における複数の記録ヘッドの配設位置の調整を不要とすることが可能となる。
また、第２の発明は、搬送される記録媒体の記録面にノズルからインク滴を吐出して記録を行うインクジェット記録装置であって、前記ノズルを所定の長さに亘って複数配列形成して構成される記録幅をケース体に備えた複数の記録ヘッドを、該記録ヘッドを支持するベース板に、前記記録媒体の搬送方向と前記記録幅の延長方向とを交差させて、前記記録媒体の搬送方向と交差する方向に並べて配設した構成を有するヘッド群を備え、前記記録ヘッドは、前記複数のノズルのいずれか一つの中心が回転中心となるように前記ケース体に形成された第一の係合部が、前記ベース板に形成された第二の係合部に回動可能に係合され、当該ベース板に前記記録媒体の搬送方向に対する傾きを調整可能に支持されていることを特徴とするインクジェット記録装置を提供する。
【０００９】
上記の構成によれば、複数のノズルのいずれか一つの中心が回転中心となるようにケース体に形成された第一の係合部が、ベース板に形成された第二の係合部に回動可能に係合される。
上記により、記録ヘッドを、複数のノズルのいずれか一つの中心を回転中心として、ベース板に対して回動させることが可能となる。
【００１０】
また、第３の発明は、第２の発明において、前記第一の係合部は、前記記録幅の一端部における最外側の前記ノズルの中心を回転中心として形成されていることを特徴とするインクジェット記録装置を提供する。
上記の構成によれば、記録ヘッドの傾きを調整しても、記録幅の一端部における最外側のノズルは、回転の中心に位置しているため、位置ずれが生じない。
【００１１】
上記により、記録ヘッドの傾きを調整する際には、記録幅の一端部における最外側のノズルの位置ずれを気にすることなく、記録幅の他端部のノズルにのみ着目して調整することが可能となり、調整にかかる手間を軽減することができる。
また、第４の発明は、第２又は第３の発明において、前記第一の係合部は、前記ケース体に突出形成された軸で構成され、前記第二の係合部は、前記軸を回動可能に支持するように前記ベース板に形成された係合穴で構成されていることを特徴とするインクジェット記録装置を提供する。
【００１２】
上記の構成によれば、記録ヘッドのケース体に第一の係合部としての軸が形成され、この軸をベース板に形成される第二の係合部としての係合穴に係合させて記録ヘッドを回動可能に支持させることができる。
上記により、第一の係合部を軸で構成するため、記録ヘッドに形成されているノズルやインク流路などへの影響を心配することなく、記録ヘッドの回転を実現することが可能となる。
【発明を実施するための最良の形態】
【００１３】
本発明の第１実施形態を図面に基づいて説明する。
本発明の第１実施形態におけるインクジェット記録装置１は、平面図である図１（ａ）に示すように、ゲートローラＧＲと、用紙搬送部ＣＶと、８個の記録ヘッドＨＤ１〜ＨＤ８を有するヘッド群ＨＧと、排紙部ＥＪと、を備えている。なお、この図１において、Ｘ方向は、記録用紙Ｐの搬送方向を示し、Ｙ方向は、Ｘ方向と直交する方向を示している。
【００１４】
ここで、上記の各構成の詳細を説明する。
用紙搬送部ＣＶは、図１（ａ）に示すように、用紙搬送部ＣＶを駆動する図示しない搬送部駆動モーターから動力が伝達される駆動軸ＤＳと、この駆動軸ＤＳに平行且つ駆動軸ＤＳのＸ方向上流側に配設される従動軸ＦＳと、駆動軸ＤＳ及び従動軸ＦＳにかけ渡される搬送ベルトＶと、を備えている。
【００１５】
ここで、駆動軸ＤＳ及び従動軸ＦＳは、図示しないが、軸受によって筐体に回転可能に保持されている。
また、従動軸ＦＳは、図示しないが、駆動軸ＤＳとの間にかけ渡される搬送ベルトＶに緩みが発生しないように張力を付与するため、上流方向に力が付与されている。
そして、搬送ベルトＶは、搬送部駆動モーターの動力によって、図１（ｂ）で見て反時計方向に回転され、搬送ベルトＶ上に載置された記録用紙Ｐを搬送方向であるＸ方向に搬送する。
【００１６】
また、用紙搬送部ＣＶは、搬送ベルトＶの回転を制御するための基準となるインデックス信号を出力するインデックスセンサーＩＳを備えている。
このインデックスセンサーＩＳは、例えば、フォトインタラプタ等の発光素子及び受光素子を備えた光学式センサーで構成され、搬送ベルトＶに設けられているインデックス部ＩＤが発光素子及び受光素子間の光軸を遮ると、出力電圧を変化させる。インデックス信号は、この出力電圧の変化を利用するものであり、記録用紙Ｐを用紙搬送部ＣＶへ供給するタイミングや、ヘッド群ＨＧの各記録ヘッドＨＤ１〜ＨＤ８が記録を行うタイミングなどを計るきっかけとなる。
【００１７】
ヘッド群ＨＧは、斜視図である図２に示すように、ベース板ＢＰと、記録ヘッドＨＤ１〜ＨＤ８と、を備えて構成されている。ベース板ＢＰは、平面図である図４（ａ）に示すように、後述する位置決めピンＰＪが係合する第二の係合部としての位置決め穴ＰＨがＹ方向に所定間隔Ｐｙで形成されている。
記録ヘッドＨＤ１〜ＨＤ８のそれぞれは、図２に示すように、ノズルＮＺを形成した上部ケース体ＣＢｕと、ベース板ＢＰに取り付けられる下部ケース体ＣＢｄとで構成されている。また、上部ケース体ＣＢｕと下部ケース体ＣＢｄとは、一体に固定されて構成されている。
【００１８】
ここで、上部ケース体ＣＢｕに設けられているノズルＮＺの配列について説明する。
図３は、上部ケース体ＣＢｕの外観を示す図であり、図３（ａ）は、図１（ａ）中のＢ視方向正面図であり、図３（ｂ）は、底面図である。なお、この図３において、ノズルをわかりやすく示すため、ノズルの大きさを誇張して且つ個数を減じて図示している。
上部ケース体ＣＢｕは、図３（ｂ）に示すように、インク滴を吐出する所要数のノズルＮＺが配列距離ＫＨに亘って等間隔で配列形成されている。この配列距離ＫＨが各記録ヘッドＨＤ１〜ＨＤ８の記録幅となる。なお、記録ヘッドＨＤ１〜ＨＤ８としては、圧電素子、加熱素子等によりインクに圧力を付与してノズルＮＺからインク滴を吐出する記録ヘッドを採用することができる。
【００１９】
また、下部ケース体ＣＢｄは、図２に示すように、直方体状に形成され、その下面に、上部ケース体ＣＢｕに形成された複数のノズルＮＺのうち一端側における最外側のノズルＮＺｆの中心線を回転中心とする第一の係合部としての位置決めピンＰＪが突出形成されている。
そして、記録ヘッドＨＤ１〜ＨＤ８のそれぞれは、ベース板ＢＰの位置決め穴ＰＨに位置決めピンＰＪを係合させて、図４（ｂ）に示すように、記録幅ＫＨをＸ方向から所定角度θ傾けた状態で、ベース板ＢＰに配設されている。
【００２０】
これらの記録ヘッドＨＤ１〜ＨＤ８のＹ方向における配設間隔は、上述したベース板ＢＰの位置決め穴ＰＨによって、Ｙ方向に隣り合う記録ヘッドＨＤ１〜ＨＤ８同士間で記録幅ＫＨの一端側における最外側のノズルＮＺｆ同士の間が所定間隔Ｐｙとなる。
また、所定角度θ及び所定間隔Ｐｙは、Ｙ方向に隣り合う記録ヘッドＨＤ１〜ＨＤ８同士間で、一方の記録ヘッドＨＤ１〜ＨＤ８の記録幅ＫＨにおける他端部のノズルＮＺｅと、他方の記録ヘッドＨＤ１〜ＨＤ８の記録幅ＫＨにおける一端部のノズルＮＺｆとがＸ方向から見て重なるように設定されている。つまり、記録ヘッドＨＤ１〜ＨＤ８の記録幅ＫＨをＸ方向から所定角度θ傾け、Ｙ方向に所定間隔Ｐｙで配列することによって、インクジェット記録装置１における記録領域ＫＲが構成される。なお、各下部ケース体ＣＢｄとベース板ＢＰとは、所定の角度調整が行われた後、接着固定される。
【００２１】
そして、ヘッド群ＨＧは、図１（ａ）及び（ｂ）に示すように、用紙搬送部ＣＶ上で、記録ヘッドＨＤ１〜ＨＤ８のノズルＮＺを記録用紙Ｐの記録面ＰＰに向けて配設されている。
ここで、前述したインクジェット記録装置１の各主要部の制御のつながりについて説明する。
【００２２】
インクジェット記録装置１は、前述した主要構成の他に、ブロック図である図５に示すように、記録用紙ＰをゲートローラＧＲに給紙する給紙部ＫＳをさらに備えている。
また、インクジェット記録装置１は、給紙部ＫＳを制御する給紙制御部ＫＳＤと、ゲートローラＧＲを制御するゲートローラ制御部ＧＲＤと、インデックスセンサーＩＳを制御するセンサー制御部ＳＤと、搬送部駆動モーターＭｏを制御するモーター制御部ＭＤと、各記録ヘッドＨＤ１〜ＨＤ８を制御する記録ヘッド制御部ＨＤＤと、排紙部ＥＪを制御する排紙制御部ＥＪＤと、外部機器からの記録情報を格納する記録情報格納部ＢＦと、記録情報に基づいて上記の各制御部ＫＳＤ、ＧＲＤ、ＳＤ、ＭＤ、ＨＤＤ、ＥＪＤに動作の指令を出すＣＰＵと、を備えている。
【００２３】
次に、インクジェット記録装置１における記録の動作について、以下に説明する。
図１に示すインクジェット記録装置１は、外部機器から記録情報及び記録指令を受けると、記録の動作を開始する。
記録の動作が開始されると、ＣＰＵがモーター制御部ＭＤへ搬送部駆動指令を送り、搬送部駆動モーターＭｏは、モーター制御部ＭＤによって、搬送ベルトＶを図１（ｂ）で見て反時計方向に回転させるように、駆動が制御される。
【００２４】
これと同時に又はこれより遅れて、ＣＰＵは、ゲートローラＧＲへの記録用紙Ｐの供給を指示する給紙指令を給紙制御部ＫＳＤに送る。
ＣＰＵから給紙指令を受けた給紙制御部ＫＳＤは、給紙部ＫＳを制御し、複数の記録用紙Ｐが格納されている図示しない用紙カセットから記録用紙Ｐを１枚ずつゲートローラＧＲに供給させる。
【００２５】
ゲートローラＧＲは、記録用紙Ｐが供給されると、この記録用紙ＰをＸ方向に対する傾き及びＹ方向の位置ずれを矯正するスキュー補正を行う。
そして、インデックス部ＩＤがインデックスセンサーＩＳの発光素子及び受光素子間の光軸を遮ると、インデックスセンサーＩＳからＣＰＵにインデックス信号が出力される。
ＣＰＵは、インデックス信号が入力されると、各記録ヘッドＨＤ１〜ＨＤ８が記録用紙Ｐに記録を行う時間の計測を開始するとともに、ゲートローラ制御部ＧＲＤにゲートローラＧＲの駆動を制御させ、記録用紙Ｐを用紙搬送部ＣＶへ送り出す。
【００２６】
用紙搬送部ＣＶへ送り出された記録用紙Ｐは、搬送部駆動モーターＭｏの駆動によって、図１（ｂ）で見て反時計方向に回転されている搬送ベルトＶの外周面に載置され、記録ヘッドＨＤ１〜ＨＤ８下へ導かれる。なお、記録用紙Ｐが搬送ベルトＶ上に載置された位置からずれないように、記録用紙Ｐ又は搬送ベルトＶを帯電させたり、搬送ベルトＶの記録用紙Ｐが載置される面に開口を形成し、サクションファンを用いて空気を吸引させたりして、記録用紙Ｐを搬送ベルトＶに吸着させるようにすることが望ましい。
【００２７】
そして、ＣＰＵは、計測している時間で記録ヘッドＨＤ１〜ＨＤ８による記録を開始するタイミングになったときに、記録ヘッド制御部ＨＤＤに記録指令を送る。
記録ヘッド制御部ＨＤＤは、記録指令に基づいて、各記録ヘッドＨＤ１〜ＨＤ８を制御し、搬送ベルトＶによって連続的に搬送されてくる記録用紙Ｐの記録面ＰＰに、記録情報に基づいて記録領域ＫＲを構成している複数のノズルＮＺから選択的にインク滴を吐出させて記録を行う。
【００２８】
この記録が終了すると、一枚の記録用紙Ｐに対する記録が終了し、その記録用紙Ｐは、排紙制御部ＥＪＤが制御する排紙部ＥＪによってインクジェット記録装置１外へ排出される。
ここで、記録情報のすべてに対する記録が終了していると、記録動作が終了し、未記録の記録情報が残っていると、上記給紙タイミングで新たな記録用紙ＰをゲートローラＧＲに供給して記録情報のすべてに対する記録が完了するまで記録動作を継続する。
【００２９】
次に、インクジェット記録装置１におけるヘッド群ＨＧの製造方法について、以下に説明する。
各上部ケース体ＣＢｕは、図６（ａ）に示すように、長手方向の一側面Ｓ１及びこの側面Ｓ１に交差する側面Ｓ２が研削加工によって、ノズルＮＺｆの中心位置からそれぞれ所定の距離Ｄ１及びＤ２を有するように平滑に仕上げられている。
【００３０】
各下部ケース体ＣＢｄも、図６（ｂ）に示すように、側面Ｓ３及び側面Ｓ４が位置決めピンＰＪの中心位置からそれぞれ所定の距離Ｄ１及びＤ２を有するように、研削加工によって平滑に仕上げられている。なお、位置決めピンＰＪは、下部ケース体ＣＢｄに一体で形成される態様でも、下部ケース体ＣＢｄに形成された穴に圧入される態様でも、いずれの態様であってもかまわない。
【００３１】
そして、各上部ケース体ＣＢｕと各下部ケース体ＣＢｄとを、定盤などの表面が平滑に仕上げられている平面上に載置して、上部ケース体ＣＢｕの側面Ｓ１と下部ケース体ＣＢｄの側面Ｓ３とが同じ方向を向いて同一平面を構成し、且つ側面Ｓ２と側面Ｓ４とが同じ方向を向いて同一平面を構成するように接着固定する。このようにして、上部ケース体ＣＢｕと下部ケース体ＣＢｄとを接着固定すると、図６（ｃ）に示す各記録ヘッドＨＤ１〜ＨＤ８が完成する。
【００３２】
この記録ヘッドＨＤ１〜ＨＤ８を、ベース板ＢＰの位置決め穴ＰＨに位置決めピンＰＪを係合させて、ベース板ＢＰ上に載置する。ここで、位置決めピンＰＪ及び位置決め穴ＰＨの係合は、後述する傾き調整が可能な限度内で締り嵌めとなるように設定されるのが望ましい。
記録ヘッドＨＤ１〜ＨＤ８がベース板ＢＰ上に載置された状態では、図７（ａ）に示すように、適正な記録領域ＫＲが構成されていない。そこで、まず、記録ヘッドＨＤ８を位置決め穴ＰＨに係合している位置決めピンＰＪを中心に、記録幅ＫＨにおける一端側の最外側ノズルＮＺｆ及び他端側の最外側ノズルＮＺｅ間がＹ方向に所定間隔Ｐｙとなるように、図７（ａ）中のＲ１方向に回転させて記録ヘッドＨＤ８の傾きを調整する。ここで、記録ヘッドＨＤ１〜ＨＤ８の傾き調整は、工具顕微鏡、投影機などを用いてノズルＮＺｅの位置を確認しながら実施される。このとき、ノズルＮＺｅの位置を、画像処理装置を用いて把握し、位置決め装置によって自動で実施されるようにしてもよい。
【００３３】
次に、記録ヘッドＨＤ８の一つ隣の記録ヘッドＨＤ７を、記録ヘッドＨＤ７のノズルＮＺｅの位置が記録ヘッドＨＤ８のノズルＮＺｆの位置にＸ方向から見て重なるように、回転させて記録ヘッドＨＤ７の傾きを調整する。以後、記録ヘッドＨＤ１まで、同様の方法によって傾きを調整すると、図４（ｂ）に示す適正な記録領域ＫＲが構成される。
そして、各記録ヘッドＨＤ１〜ＨＤ８の傾き調整を終了した後、記録ヘッドＨＤ１〜ＨＤ８とベース板ＢＰとを接着固定してヘッド群ＨＧが完成する。なお、記録ヘッドＨＤ１〜ＨＤ８とベース板ＢＰとの接着固定は、各記録ヘッドＨＤ１〜ＨＤ８の傾き調整を終了するごとに実施してもよい。
【００３４】
上記により、記録ヘッドＨＤ１〜ＨＤ８の傾きを調整しても、Ｙ方向に隣り合う記録ヘッドＨＤ１〜ＨＤ８同士間において、記録幅ＫＨにおける一端側の最外側のノズルＮＺｆ同士間の所定間隔Ｐｙは、変化しない。つまり、傾き調整の後、各記録ヘッドＨＤ１〜ＨＤ８のＹ方向における配設位置を調整する必要がない。従って、記録ヘッドＨＤ１〜ＨＤ８同士間の記録の境界部において、容易に良好な記録品質を得ることが可能となる。
【００３５】
また、記録ヘッドＨＤ１〜ＨＤ８は、Ｙ方向に隣り合う記録ヘッドＨＤ１〜ＨＤ８同士間で、一方の記録ヘッドＨＤ１〜ＨＤ８の一端側の最外側ノズルＮＺｆと他方の記録ヘッドＨＤ１〜ＨＤ８の他端側の最外側ノズルＮＺｅとがＸ方向から見て重なるように配設されている。従って、これら記録ヘッドＨＤ１〜ＨＤ８同士間の記録の境界部において、一方の記録ヘッドＨＤ１〜ＨＤ８のノズルＮＺｆ及び他方の記録ヘッドＨＤ１〜ＨＤ８のノズルＮＺｅから交互にインク滴を吐出させて記録を行うなどの方法により、記録の境界部を目立たなくさせることが可能となる。
【００３６】
また、記録ヘッドＨＤ１〜ＨＤ８は、下部ケース体ＣＢｄの位置決めピンＰＪ及びベース板ＢＰの位置決め穴ＰＨを基準として、傾きが調整される。従って、上部ケース体ＣＢｕに形成されているノズルＮＺやインク流路などへの影響を心配することなく、記録ヘッドＨＤ１〜ＨＤ８の傾きを調整することが可能となる。
本発明の第２実施形態を図面に基づいて説明する。
【００３７】
第２実施形態におけるインクジェット記録装置１は、第１実施形態のヘッド群ＨＧにおいて、記録ヘッドＨＤ１〜ＨＤ８をベース板ＢＰに接着固定せずに回動可能に支持し、各記録ヘッドＨＤ１〜ＨＤ８をベース板ＢＰの位置決め穴ＰＨを中心に回転させて各記録ヘッドＨＤ１〜ＨＤ８の傾きを調整する傾き調整機構が配設されていることを除いては、第１実施形態と同様の構成を有し、第１実施形態との対応部分には同一符号を付してその説明を省略する。
【００３８】
第２実施形態におけるインクジェット記録装置１のヘッド群ＨＧ２は、図８（ａ）に示すように、記録ヘッドＨＤ１〜ＨＤ８ごとに、位置決めピンＰＪ側とは反対側の他端側に傾き調整機構を備えている。この傾き調整機構は、図８（ａ）及び（ｂ）に示すように、偏芯カムＣｍとコイルばねＳＰと偏芯カムＣｍを回転駆動するアクチュエータとしてのサーボモーターＳＶとを備えて構成されている。各記録ヘッドＨＤ１〜ＨＤ８は、コイルばねＳＰによって長手方向の一側面から付勢され、他側面が偏芯カムＣｍの外周面に当接されている。
【００３９】
サーボモーターＳＶは、図８（ａ）中のＣ−Ｃ断面の拡大図である図８（ｂ）に示すように、ベース板ＢＰに形成された開口に、記録ヘッドＨＤ１〜ＨＤ８が載置される面ＭＰとは反対側の面ＵＰから回転軸ＲＪを挿入させて、ベース板ＢＰの面ＵＰに固定されている。
そして、偏芯カムＣｍは、ベース板ＢＰの面ＭＰ側からサーボモーターＳＶの回転軸ＲＪに圧入されている。つまり、サーボモーターＳＶを駆動して偏芯カムＣｍを回転させると、各記録ヘッドＨＤ１〜ＨＤ８は、ベース板ＢＰの位置決め穴ＰＨを中心に揺動される。
【００４０】
なお、この図８（ｂ）において、上部ケース体ＣＢｕのノズルＮＺ以外の詳細断面及びサーボモーターＳＶの詳細断面を省略して図示している。
また、下部ケース体ＣＢｄは、ベース板ＢＰを挟んで位置決めピンＰＪに抜け止めワッシャーＷＳが圧入されて、記録ヘッドＨＤ１〜ＨＤ８が搬送ベルトＶ上に落下しないように構成されている。
【００４１】
各記録ヘッドＨＤ１〜ＨＤ８は、サーボモーターＳＶの駆動による各記録ヘッドＨＤ１〜ＨＤ８の揺動範囲内で傾きが調整される。
第２実施形態のインクジェット記録装置１における各記録ヘッドＨＤ１〜ＨＤ８の傾き調整は、用紙搬送部ＣＶによって搬送される記録用紙Ｐに、すべての記録ヘッドＨＤ１〜ＨＤ８のすべてのノズルＮＺからインク滴を所定周期で吐出させてドットを形成させるテスト記録に基づいて行われる。
【００４２】
このテスト記録の結果において、Ｙ方向に隣り合う記録ヘッドＨＤ１〜ＨＤ８の記録の境界部に白筋や黒筋などの記録むらが発生している場合に、各サーボモーターＳＶを駆動させて記録ヘッドＨＤ１〜ＨＤ８の傾きを調整する。このとき、テスト記録の結果を目視で確認してもよく、スキャナーなどの光学式画像読取り装置及び画像データ処理装置を用いてドット間の距離を把握するようにしてもよい。
【００４３】
ここで、インクジェット記録装置１の電源がＯＦＦの状態では、サーボモーターＳＶへの電力の供給が行われないため、適正に調整された各記録ヘッドＨＤ１〜ＨＤ８の傾きがコイルばねＳＰの力によってずれてしまうことがある。そこで、各記録ヘッドＨＤ１〜ＨＤ８の傾きが適正に調整された後、各サーボモーターＳＶの回転量を図示しない不揮発性の記憶部に記憶させておく。そして、インクジェット記録装置１の電源がＯＦＦからＯＮになるたびに、記憶された回転量に基づいて各サーボモーターＳＶの回転軸ＲＪの回転位置を制御する。
【００４４】
このようにすれば、インクジェット記録装置１の電源がＯＦＦの状態で記録ヘッドＨＤ１〜ＨＤ８の傾きがずれてしまっても、電源がＯＦＦからＯＮになったときに、各記録ヘッドＨＤ１〜ＨＤ８の傾きを適正な状態に制御することが可能となる。
第２実施形態によれば、各記録ヘッドＨＤ１〜ＨＤ８の所定角度θが、インクジェット記録装置１の使用年月の経過とともに変化してしまった場合でも、傾き調整を容易に行うことができ、記録品質を良好な状態で維持させることが可能となる。
【００４５】
なお、第１及び第２実施形態では、第一の係合部としての位置決めピンＰＪを、各記録ヘッドＨＤ１〜ＨＤ８の複数のノズルＮＺのうち一端側における最外側のノズルＮＺｆの中心を回転中心として、形成するようにしたが、これに限定されず、ノズルＮＺｆ以外のいずれか一つの中心を回転中心として形成するようにしてもよい。
また、第１及び第２実施形態では、各記録ヘッドＨＤ１〜ＨＤ８が記録幅ＫＨをＸ方向から所定角度θ傾けた状態で配設された場合を例に説明したが、これに限定されず、図９（ａ）及び（ｂ）に示すように、記録幅ＫＨがＹ方向に沿うように配設される場合でもよい。
【００４６】
また、第１及び第２実施形態では、記録ヘッドＨＤ１〜ＨＤ８を上部ケース体ＣＢｕと下部ケース体ＣＢｄとで構成するようにしたが、これらを一体のケース体として形成するようにしてもよい。このように構成すれば、上部ケース体ＣＢｕ及び下部ケース体ＣＢｄのいずれかを省略することができ、部品点数が削減され、コストの低減が可能となる。
また、第２実施形態では、偏芯カムＣｍをアクチュエータとしてのサーボモーターＳＶを駆動して回転させるようにしたが、これに限定されず、ベース板ＢＰの面ＵＰ側から手動で回転させるようにしてもよい。このように構成すれば、アクチュエータを省略することができ、部品点数が削減され、コストの低減が可能となる。
【００４７】
また、第１及び第２実施形態では、ヘッド群ＨＧを構成する記録ヘッドＨＤ１〜ＨＤ８の個数が８個の場合を例に説明したが、これに限定されず、記録ヘッドの個数は、記録ヘッドのノズル数やノズル密度、記録用紙のサイズ等の条件に基づいて設定される。
また、第１及び第２実施形態では、記録ヘッドＨＤ１〜ＨＤ８から同一色のインク滴を吐出して単色の記録を行う構成を例に説明したが、これに限定されず、他色のインク滴を吐出する記録ヘッドをさらに備え、複数色の記録を行うように構成してもよい。
【図面の簡単な説明】
【００４８】
【図１】本発明の第１実施形態におけるインクジェット記録装置の主要構成を示す外観図。
【図２】第１実施形態におけるインクジェット記録装置のヘッド群の構成を説明する斜視図。
【図３】記録ヘッドのノズルの配列を説明する図。
【図４】本発明の実施形態におけるインクジェット記録装置の記録領域を説明する図。
【図５】第１実施形態におけるインクジェット記録装置の主要部の制御のつながりを示すブロック図。
【図６】記録ヘッドの製造方法を説明する図。
【図７】第１実施形態におけるインクジェット記録装置のヘッド群の製造方法を説明する図。
【図８】第２実施形態におけるインクジェット記録装置のヘッド群の構成を説明する図。
【図９】ヘッド群の他の構成例を示す図。
【図１０】従来技術の課題を説明する図。
【符号の説明】
【００４９】
１…インクジェット記録装置、ＨＤ１〜ＨＤ８…記録ヘッド、ＫＨ…記録幅、ＨＧ，ＨＧ２…ヘッド群、ＢＰ…ベース板、ＣＢｕ…上部ケース体、ＣＢｄ…下部ケース体、ＰＨ…位置決め穴、ＰＪ…位置決めピン
【図１】
2006051621.tif 000003
【図２】
2006051621.tif 000004
【図３】
2006051621.tif 000005
【図４】
2006051621.tif 000006
【図５】
2006051621.tif 000007
【図６】
2006051621.tif 000008
【図７】
2006051621.tif 000009
【図８】
2006051621.tif 000010
【図９】
2006051621.tif 000011
【図１０】
2006051621.tif 000012